(57)【要約】【課題】  液晶装置等の電気光学装置において、外部回路接続端子個々の面積を確保しつつ外部回路接続端子が配列された辺の長さを縮め、基板サイズを縮小する。【解決手段】  複数の外部回路接続端子は夫々、その配列方向の幅が、それらの配列ピッチよりも広い部分を含む形状を有し、これら外部回路接続端子は、基板上で平面的に見て相互に重ならないように、配列方向と交わる方向にずれて配置されている。或いは、複数の外部回路接続端子は夫々、それらの配列方向の幅がそれらの配列ピッチよりも広い部分を含むと共に平面的に見て相互に重ならない、形状を有する。【選択図】  図３
2006178113.tif 000002
【特許請求の範囲】
【請求項１】
基板上に、
画像表示領域に配置された表示用電極と、
該表示用電極を駆動するための配線及び回路のうち少なくとも一方と、
該配線及び回路のうち少なくとも一方から、前記画像表示領域の周辺に位置する周辺領域に夫々引き出されている複数の引出配線と、
該複数の引出配線に夫々接続されており、前記周辺領域に配列された複数の外部回路接続端子と
を備え、
前記複数の外部回路接続端子は夫々、前記複数の外部回路接続端子の配列方向の幅が、前記複数の外部回路接続端子の配列ピッチよりも広い部分を含む形状を有し、
前記複数の外部回路接続端子は、前記基板上で平面的に見て相互に重ならないように、前記配列方向と交わる方向にずれて配置されている
ことを特徴とする電気光学装置。
【請求項２】
前記複数の外部回路接続端子は、前記配列方向に沿って前記配列方向に交わる方向に交互にずれつつ配置されていることを特徴とする請求項１に記載の電気光学装置。
【請求項３】
前記複数の外部回路接続端子の配置に対応して配置された複数の接続部を持つと共に該複数の接続部が前記複数の外部回路接続端子に夫々接続されたフレキシブルコネクタを更に備えたことを特徴とする請求項１又は２に記載の電気光学装置。
【請求項４】
基板上に、
画像表示領域に配置された表示用電極と、
該表示用電極を駆動するための配線及び回路のうち少なくとも一方と、
該配線及び回路のうち少なくとも一方から、前記画像表示領域の周辺に位置する周辺領域に夫々引き出されている複数の引出配線と、
該複数の引出配線に夫々接続されており、前記周辺領域に配列された複数の外部回路接続端子と
を備え、
前記複数の外部回路接続端子は夫々、前記複数の外部回路接続端子の配列方向の幅が前記複数の外部回路接続端子の配列ピッチよりも広い部分を含むと共に、前記基板上で平面的に見て相互に重ならない、形状を有する
ことを特徴とする電気光学装置。
【請求項５】
前記複数の外部回路接続端子のうち相隣接する二つの外部回路接続端子は、前記基板上で平面的に見て相互間の隙間を一定幅とする一対の形状を有することを特徴とする請求項４に記載の電気光学装置。
【請求項６】
前記複数の外部回路接続端子のうち相隣接する二つの外部回路接続端子は、前記基板上で平面的に見て配列方向に対して相互に鏡面対象の形状を有すると共に、前記配列方向に相互にずれて配置されていることを特徴とする請求項５に記載の電気光学装置。
【請求項７】
前記複数の外部回路接続端子の形状に対応する形状を有する複数の接続部を持つと共に該複数の接続部が前記複数の外部回路接続端子に夫々接続されたフレキシブルコネクタを更に備えたことを特徴とする請求項４から６のいずれか一項に記載の電気光学装置。
【請求項８】
前記複数の外部回路接続端子のうち相隣接する二つの外部回路接続端子の一方は、前記複数の引出配線のうち第１導電膜から形成された第１引出配線に接続されており、前記相隣接する二つの外部回路接続端子の他方は、前記複数の引出配線のうち層間絶縁膜を介して前記第１導電膜と別層に位置する第２導電膜から形成された第２引出配線に接続されていることを特徴とする請求項１から７のいずれかに一項に記載の電気光学装置。
【請求項９】
前記相隣接する二つの外部回路接続端子の他方は、前記第２引出配線に前記層間絶縁膜に開孔されたコンタクトホールを介して電気的に接続されており、
前記相隣接する二つの外部回路接続端子は共に、前記第１又は第２導電膜と同一の導電膜から形成されていることを特徴とする請求項８に記載の電気光学装置。
【請求項１０】
基板上に、
画像表示領域に配置された表示用電極と、
該表示用電極を駆動するための配線及び回路のうち少なくとも一方と、
該配線及び回路のうち少なくとも一方から、前記画像表示領域の周辺に位置する周辺領域に夫々引き出されている複数の引出配線と、
該複数の引出配線に夫々接続されており、前記周辺領域に配列された複数の外部回路接続端子と
を備え、
前記複数の外部回路接続端子は夫々、前記複数の外部回路接続端子の配列方向の幅が前記複数の外部回路接続端子の配列ピッチよりも広い部分を含む形状を有し、
前記複数の外部回路接続端子は、前記基板上で平面的に見て相互に重ならないように、前記配列方向と交差する方向にずれて配置されていることを特徴とする電気光学装置用基板。
【請求項１１】
基板上に、
画像表示領域に配置された表示用電極と、
該表示用電極を駆動するための配線及び回路のうち少なくとも一方と、
該配線及び回路のうち少なくとも一方から、前記画像表示領域の周辺に位置する周辺領域に夫々引き出されている複数の引出配線と、
該複数の引出配線に夫々接続されており、前記周辺領域に配列された複数の外部回路接続端子と
を備え、
前記複数の外部回路接続端子は夫々、前記複数の外部回路接続端子の配列方向の幅が前記複数の外部回路接続端子の配列ピッチよりも広い部分を含むと共に、前記基板上で平面的に見て相互に重ならない、形状を有することを特徴とする電気光学装置用基板。
【請求項１２】
請求項１から９のいずれか一項に記載の電気光学装置を具備することを特徴とする電子機器。
【発明の詳細な説明】
【技術分野】
【０００１】
本発明は、例えば液晶装置等の電気光学装置、該電気光学装置を製造するのに用いられる電気光学装置用基板、及び該電気光学装置を備えた、例えば液晶プロジェクタ等の電子機器の技術分野に関する。
【背景技術】
【０００２】
この種の電気光学装置では、画素電極等の表示用電極や、これを駆動するためのデータ線駆動回路、走査線駆動回路等の回路部が設けられた基板上に、その一辺に沿って、複数の外部回路接続端子が配列されている。これら複数の外部回路接続端子には、外部回路がフレキシブルコネクタ或いはＦＰＣの接続部を介して接続される。
【０００３】
このような複数の外部回路接続端子は、基板の一辺における縁の付近で、それらの配列方向に沿って、一列に並んでいるのが通常である（特許文献１参照）。従って、配列方向に沿った複数の外部回路接続端子の配列ピッチ×端子数以上の長さが、基板の一辺には要求される。逆に言えば、基板の一辺には、その長さに対して、配列することが可能な外部回路接続端子の数に本質的な限界がある。
【０００４】
【特許文献１】特開２００２−９１３３３号公報
【発明の開示】
【発明が解決しようとする課題】
【０００５】
しかしながら、より高品位の画像表示を行うためには、より多数の引出配線及びこれらに接続される、より多数の外部回路接続端子を設けることが望まれる。更に、より高品位の画像表示を行なうためには、検査用回路、検査用パターン、検査用端子等の検査目的等の各種回路についても、外部回路接続端子が配列されるのと同一の辺付近に配置することも望まれる。更にまた、外部回路接続端子は、フレキシブルコネクタ等と接続されるが故に、むやみにその面積を小さくすることは望ましくない。加えて、相隣接する互に外部回路接続端子間の距離をあまり狭めてしまうと、配線間ショートが発生しやすくなる、即ち、装置不良が生じやすく製造歩留まりが低下してしまうという技術的な各種問題点がある。
【０００６】
本発明は上記問題点に鑑みてなされたものであり、外部回路接続端子個々の面積を確保しつつ外部回路接続端子が配列された辺の長さを縮めることを可能とし、基板サイズの縮小が可能な電気光学装置、そのような電気光学装置を製造するために用いられる電気光学装置用基板、及びそのような電気光学装置を具備してなる電子機器を提供することを課題とする。
【課題を解決するための手段】
【０００７】
本発明の第１電気光学装置は上記課題を解決するために、基板上に、画像表示領域に配置された表示用電極と、該表示用電極を駆動するための配線及び回路のうち少なくとも一方と、該配線及び回路のうち少なくとも一方から、前記画像表示領域の周辺に位置する周辺領域に夫々引き出されている複数の引出配線と、該複数の引出配線に夫々接続されており、前記周辺領域に配列された複数の外部回路接続端子とを備え、前記複数の外部回路接続端子は夫々、前記複数の外部回路接続端子の配列方向の幅が、前記複数の外部回路接続端子の配列ピッチよりも広い部分を含む形状を有し、前記複数の外部回路接続端子は、前記基板上で平面的に見て相互に重ならないように、前記配列方向と交わる方向にずれて配置されている。
【０００８】
本発明の電気光学装置によれば、その動作時には、外部回路から、画像信号、クロック信号、各種制御信号、電源信号等が外部回路接続端子を介して、配線及び回路のうち少なくとも一方に供給される。ここに本発明に係る「配線及び回路の少なくとも一方」とは、表示用電極の一例としての画素電極に接続された画素スイッチング用の薄膜トランジスタ（Thin Film Transistor：以下適宜“ＴＦＴ”と呼ぶ）等の電子素子や、このＴＦＴ等に接続された走査線やデータ線、更にこれらの走査線やデータ線を駆動するための走査線駆動回路やデータ線駆動回路等の基板上に作り込まれる又は取り付けられる各種の配線や回路を意味する。また、本発明に係る「表示用電極」とは、画素電極の他、ストライプ状の電極やセグメント状の電極等の各種電極を意味する。即ち、当該電気光学装置の駆動方式としては、アクティブマトリクス駆動方式に限らず、パッシブマトリクス駆動方式、セグメント駆動方式等の各種の駆動方式が考えられる。
【０００９】
ここで本発明では特に、複数の外部回路接続端子は夫々、それらの配列方向の幅が、それらの配列ピッチよりも広い部分を含む形状を有する。従って、仮に配列方向に真っ直ぐ一列に配列されているのでは、複数の外部回路接続端子は、平面的に見て相互に重なってしまい、例えば電気的にショートしてしまい、相互に異なる信号を供給するための端子として機能し得なくなる。しかるに本発明では、複数の外部回路接続端子は、平面的に見て相互に重ならないように、配列方向と交わる方向にずれて配置されている。例えば、複数の外部回路接続端子のうち隣接する二つの外部回路接続端子が、配列方向と交わる方向に交互にずれて配列されている。言い換えれば、配列方向に沿って千鳥足状に配列されている。或いは例えば、配列方向に沿った複数列として配列されている。従って、複数の外部回路接続端子が、相互に重なったり、相互にショートしたり、僅かな欠陥や製造誤差により相互にショートしたりすることを、殆どなくすことが可能となる。言い換えれば、限られた幅を有する基板上における周辺領域内に、より多くの外部回路接続端子を、相互にショートしないように配置することが可能となる。即ち、接続用パッドなどの一つ一つの外部回路接続端子の面積を相対的に広く確保しつつ、より多くの外部回路接続端子を配置することが可能となる。よって、周辺領域の一辺に沿った形で、該一辺の中央付近に多数の外部回路接続端子を配置すると共に、該一辺の端付近に、検査回路、検査用パターン、検査用端子などの各種回路等を、余裕を持って作り込むことも可能となる。また、画像表示領域を広く確保しつつ、該一辺の幅を不必要に広げる必要もなくなり、電気光学装置の全体の小型化を図ることも可能となる。
【００１０】
以上のように、本発明の第１電気光学装置によれば、外部回路接続端子個々の面積を確保しつつ外部回路接続端子が配列された辺の長さを縮めることが可能となり、基板サイズの縮小が可能となる。
【００１１】
本発明の第１電気光学装置の一態様では、前記複数の外部回路接続端子は、前記配列方向に沿って前記配列方向に交わる方向に交互にずれつつ配置されている。
【００１２】
この態様によれば、複数の外部回路接続端子のうち相隣接する二つの外部回路接続端子が、相互に重なったり、相互にショートしたり、僅かな欠陥や製造誤差により相互にショートしたりすることを、比較的容易にして殆どなくすことが可能となる。尚、「配列方向に沿って配列方向に交わる方向に交互にずれつつ」とは、典型的には、例えば、配列方向に対して、複数の外部回路接続端子が千鳥足状に配置されていることを意味する。
【００１３】
本発明の第１電気光学装置の他の態様では、前記複数の外部回路接続端子の配置に対応して配置された複数の接続部を持つと共に該複数の接続部が前記複数の外部回路接続端子に夫々接続されたフレキシブルコネクタを更に備える。
【００１４】
この態様によれば、フレキシブルコネクタは、通常のフレキシブルコネクタとは異なり、複数の外部回路接続端子の配置に対応して配置された複数の接続部を持つ。従って、当該第１電気光学装置における特殊配列された複数の接続部と外部回路との電気的な接続を、フレキシブルコネクタを介して良好にとることが可能となる。
【００１５】
本発明の第２電気光学装置は上記課題を解決するために、基板上に、画像表示領域に配置された表示用電極と、該表示用電極を駆動するための配線及び回路のうち少なくとも一方と、該配線及び回路のうち少なくとも一方から、前記画像表示領域の周辺に位置する周辺領域に夫々引き出されている複数の引出配線と、該複数の引出配線に夫々接続されており、前記周辺領域に配列された複数の外部回路接続端子とを備え、前記複数の外部回路接続端子は夫々、前記複数の外部回路接続端子の配列方向の幅が前記複数の外部回路接続端子の配列ピッチよりも広い部分を含むと共に、前記基板上で平面的に見て相互に重ならない、形状を有する。
【００１６】
本発明の第２電気光学装置によれば、上述した第１電気光学装置の場合と同様に動作する。
【００１７】
ここで本発明では特に、複数の外部回路接続端子は夫々、それらの配列方向の幅がそれらの配列ピッチよりも広い部分を含むと共に平面的に見て相互に重ならない、形状を有する。従って、仮に配列方向に真っ直ぐ一列に配列されているのでは、複数の外部回路接続端子は、平面的に見て相互に重なってしまい、例えば電気的にショートしてしまい、相互に異なる信号を供給するための端子として機能し得なくなる。しかるに本発明では、複数の外部回路接続端子は夫々、平面的に見て相互に重ならない形状を有する。例えば、平面的に見て、隣接する外部回路接続端子間で、若干の隙間を隔てての入れ子状や合符状に、或いは若干の隙間を隔てて係合又は噛み合うような形状に、形成されている。従って、複数の外部回路接続端子が、相互に重なったり、相互にショートしたり、僅かな欠陥や製造誤差により相互にショートしたりすることを、殆どなくすことが可能となる。言い換えれば、限られた幅を有する基板上における周辺領域内に、より多くの外部回路接続端子を、相互にショートしないように配置することが可能となる。即ち、接続用パッドなどの一つ一つの外部回路接続端子の面積を相対的に広く確保しつつ、より多くの外部回路接続端子を配置することが可能となる。よって、周辺領域の一辺に沿った形で、該一辺の中央付近に多数の外部回路接続端子を配置すると共に、該一辺の端付近に、検査回路、検査用パターン、検査用端子などの各種回路等を、余裕を持って作り込むことも可能となる。また、画像表示領域を広く確保しつつ、該一辺の幅を不必要に広げる必要もなくなり、電気光学装置の全体の小型化を図ることも可能となる。
【００１８】
以上のように、本発明の第２電気光学装置によれば、外部回路接続端子個々の面積を確保しつつ外部回路接続端子が配列された辺の長さを縮めることが可能となり、基板サイズの縮小が可能となる。
【００１９】
尚、上述した本発明の第１電気光学装置における「前記複数の外部回路接続端子は、前記基板上で平面的に見て相互に重ならないように、前記配列方向と交わる方向にずれて配置されている」という構成を、本発明の第２電気光学装置の構成に組み合わせることも可能である。これにより、より効率的に外部回路接続端子個々の面積を確保しつつ外部回路接続端子が配列された辺の長さを縮めることが可能となる。言い換えれば、第２電気光学装置においては、複数の外部回路接続端子の配列方向に沿って、複数の外部回路接続端子の重心或いは中心が一直線に配列されている必要は無く、例えば千鳥足状等の形式で、配列方向に交差する方向にずれて配置されていてもよい。
【００２０】
本発明の第２電気光学装置の一態様では、前記複数の外部回路接続端子のうち相隣接する二つの外部回路接続端子は、前記基板上で平面的に見て相互間の隙間を一定幅とする一対の形状を有する。
【００２１】
この態様によれば、相隣接する二つの外部回路接続端子は、平面的に見て相互間の隙間を一定幅とする形状、言い換えれば、相補的な形状を有するので、これらが、相互に重なったり、相互にショートしたり、僅かな欠陥や製造誤差により相互にショートしたりすることを、殆どなくすことが可能となる。ここに「相互間の隙間を一定幅とする一対の形状」は、平面的に見て、例えば一方の外部回路接続端子が凸となっている輪郭部分に面する、一方の外部回路接続端子の輪郭部分が凹となっているなど、相互間の隙間を文字通りの一定幅とする一対の形状のみならず、相互間の隙間を一定幅に近付ける一対の形状を含む意味、即ち相互間の隙間を実質的に一定幅とする一対の形状を含む意味である。例えば、入れ子状、合符状、係合又は噛み合うような形状などは、ここに言う相互間の隙間を一定幅とする一対の形状に含まれる。更に、配列方向に沿って交互に上下逆転して配列された三角形の並びにおける、三角形についても、ここに言う相互間の隙間を一定幅とする一対の形状に含まれる。
【００２２】
上述した相隣接した二つの外部回路接続端子が相互間の隙間を一定幅とする一対の形状を有する態様では、前記複数の外部回路接続端子のうち相隣接する二つの外部回路接続端子は、前記基板上で平面的に見て配列方向に対して相互に鏡面対象の形状を有すると共に、前記配列方向に相互にずれて配置されてもよい。
【００２３】
このように構成すれば、相隣接する二つの外部回路接続端子が、相互に重なったり、相互にショートしたり、僅かな欠陥や製造誤差により相互にショートしたりすることを、殆どなくすことが可能となる。
【００２４】
本発明の第２電気光学装置の他の態様では、前記複数の外部回路接続端子の形状に対応する形状を有する複数の接続部を持つと共に該複数の接続部が前記複数の外部回路接続端子に夫々接続されたフレキシブルコネクタを更に備える。
【００２５】
この態様によれば、フレキシブルコネクタは、通常のフレキシブルコネクタとは異なり、複数の外部回路接続端子の形状に対応した形状を有する複数の接続部を持つ。従って、当該第２電気光学装置における特殊配列された複数の接続部と外部回路との電気的な接続を、フレキシブルコネクタを介して良好にとることが可能となる。
【００２６】
本発明の第１又は第２電気光学装置の他の態様では、前記複数の外部回路接続端子のうち相隣接する二つの外部回路接続端子の一方は、前記複数の引出配線のうち第１導電膜から形成された第１引出配線に接続されており、前記相隣接する二つの外部回路接続端子の他方は、前記複数の引出配線のうち層間絶縁膜を介して前記第１導電膜と別層に位置する第２導電膜から形成された第２引出配線に接続されている。
【００２７】
この態様によれば、配列方向に比較的接近して配置された相隣接する外部回路接続端子に接続されるが故に、配列方向にやはり接近して配線される第１及び第２引出配線は、層間絶縁膜を介して別層に位置する第１及び第２導電膜から夫々形成されている。よって、このように平面的に見て接近して配線される第１及び第２引出配線の間で、配線間ショートが生じる事態を効果的に防止することが可能となる。また、平面的に見て第１及び第２引出配線が重なる程度に、両者の配線幅を広くとることも可能となる。
【００２８】
この態様では、前記相隣接する二つの外部回路接続端子の他方は、前記第２引出配線に前記層間絶縁膜に開孔されたコンタクトホールを介して電気的に接続されており、
前記相隣接する二つの外部回路接続端子は共に、前記第１又は第２導電膜と同一の導電膜から形成されているように構成してもよい。
【００２９】
このように構成すれば、外部回路接続端子については、同一導電膜から形成することで、フレキシブルコネクタ等の接続部が接続される表面の高さを揃えつつ、第１及び第２引出配線については、二つの導電膜から形成することで、配線間ショートが生じる事態を防止することが可能となる。
【００３０】
本発明の第１電気光学装置用基板は上記課題を解決するために、基板上に、画像表示領域に配置された表示用電極と、該表示用電極を駆動するための配線及び回路のうち少なくとも一方と、該配線及び回路のうち少なくとも一方から、前記画像表示領域の周辺に位置する周辺領域に夫々引き出されている複数の引出配線と、該複数の引出配線に夫々接続されており、前記周辺領域に配列された複数の外部回路接続端子とを備え、前記複数の外部回路接続端子は夫々、前記複数の外部回路接続端子の配列方向の幅が前記複数の外部回路接続端子の配列ピッチよりも広い部分を含む形状を有し、前記複数の外部回路接続端子は、前記基板上で平面的に見て相互に重ならないように、前記配列方向と交差する方向にずれて配置されている。
【００３１】
本発明の第１電気光学装置用基板によれば、上述した本発明の第１電気光学装置の場合と同様に、外部回路接続端子個々の面積を確保しつつ外部回路接続端子が配列された辺の長さを縮めることが可能となり、基板サイズの縮小が可能となる。
【００３２】
本発明の第２電気光学装置用基板は上記課題を解決するために、基板上に、画像表示領域に配置された表示用電極と、該表示用電極を駆動するための配線及び回路のうち少なくとも一方と、該配線及び回路のうち少なくとも一方から、前記画像表示領域の周辺に位置する周辺領域に夫々引き出されている複数の引出配線と、該複数の引出配線に夫々接続されており、前記周辺領域に配列された複数の外部回路接続端子とを備え、前記複数の外部回路接続端子は夫々、前記複数の外部回路接続端子の配列方向の幅が前記複数の外部回路接続端子の配列ピッチよりも広い部分を含むと共に、前記基板上で平面的に見て相互に重ならない、形状を有する。
【００３３】
本発明の第２電気光学装置用基板によれば、上述した本発明の第２電気光学装置の場合と同様に、外部回路接続端子個々の面積を確保しつつ外部回路接続端子が配列された辺の長さを縮めることが可能となり、基板サイズの縮小が可能となる。
【００３４】
本発明の電子機器は上記課題を解決するために、上述した本発明の電気光学装置（但し、その各種態様も含む）を具備する。
【００３５】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００３６】
本発明のこのような作用及び他の利得は次に説明する実施の形態から明らかにされる。
【発明を実施するための最良の形態】
【００３７】
以下では、本発明の実施形態について図を参照しつつ説明する。以下の実施形態では、本発明の電気光学装置の一例である駆動回路内蔵型のＴＦＴアクティブマトリクス駆動方式の液晶装置を例にとる。
＜第１実施形態＞
第１実施形態に係る電気光学装置について、図１から図６を参照して説明する。
【００３８】
先ず、図１及び図２を参照して、本実施形態に係る電気光学装置の全体構成について、説明する。ここに図１は、本実施形態に係る電気光学装置の構成を示す平面図であり、図２は、図１のＨ−Ｈ’線での断面図である。
【００３９】
図１及び図２において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４０】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路３０１が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４１】
図２において、ＴＦＴアレイ基板１０上には、駆動素子である画素スイッチング用のＴＦＴ（Ｔｈｉｎ Ｆｉｌｍ Ｔｒａｎｓｉｓｔｏｒ）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００４２】
次に図３及び図４を参照して、外部回路接続端子の配列について説明する。ここに図３は、本実施形態に係る電気光学装置の外部回路接続端子の配列を説明する平面図である。図４は、本実施形態に係る電気光学装置の外部回路接続端子の配列の一部を示す拡大図である。
【００４３】
図３に示すように、本実施形態では、複数の外部回路接続端子１０２は夫々、複数の外部回路接続端子１０２の配列方向の幅ΔＷが、複数の外部回路接続端子１０２の配列ピッチΔＰよりも広い部分を含む形状を有し、複数の外部回路接続端子１０２は、ＴＦＴアレイ基板１０上で平面的に見て相互に重ならないように、配列方向と交わる方向（図３中、上下方向）にずれて配置されている。
【００４４】
このように構成されているため、本実施形態に係る電気光学装置は、その動作時には、外部回路接続端子１０２にＦＰＣ等を介して接続された外部回路から、外部回路接続端子１０２及び走査線駆動回路用配線１２０を経由して、クロック信号ＣＬＹ、制御信号ＤＩＲＹ、ＤＹ（Ｌ）、電源信号ＶＤＤＹ、ＶＳＳＹ等の各種信号が、走査線駆動回路１０４に供給される。これと並行して、外部回路から外部回路接続端子１０２及びデータ線駆動回路用配線１３０を経由して、クロック信号ＣＬＸ、制御信号ＤＩＲＸ、ＤＸ、電源信号ＶＤＤＸ、ＶＳＳＸ、画像信号ＶＩＤＥＯ等の各種信号がデータ線駆動回路１０１に供給される。これらにより、走査線駆動回路１０４により走査線３ａを介して走査信号が画素部に供給されると共に、データ線駆動回路１０１及びサンプリング回路３０１によりデータ線６ａを介して画像信号ＶＩＤＥＯが画素部に供給され、液晶層５０を各画素部で駆動することで、アクティブマトリクス駆動が行なわれる。
【００４５】
走査線３ａ及びデータ線６ａは、ＴＦＴアレイ基板１０上における画像表示領域１０ａに、相互に交差するように且つ夫々複数配線されている。また、画像表示領域１０ａにマトリクス状に配列される画素部は夫々、例えば、画素毎に設けられた画素電極２１と、走査線３ａにゲートが接続され且つデータ線６ａから供給される画像信号ＶＩＤＥＯを走査線３ａから供給される走査信号に応じて画素電極２１へ選択的に供給する、画素毎に設けられた画素スイッチング用のＴＦＴとを有する。
【００４６】
本実施形態に係る電気光学装置では特に、複数の外部回路接続端子１０２は夫々、それらの配列方向の幅ΔＷが、それらの配列ピッチΔＰよりも広い部分を含む形状を有する。従って、仮に配列方向に真っ直ぐ一列に配列されているのでは、複数の外部回路接続端子は、平面的に見て相互に重なってしまい、例えば電気的にショートしてしまい、相互に異なる信号を供給するための端子として機能し得なくなる。しかるに本実施形態では、複数の外部回路接続端子１０２は、平面的に見て相互に重ならないように、配列方向と交わる方向（図３中、上下方向）にずれて配置されている。しかも本実施形態では、複数の外部回路接続端子１０２は、平面的に重ならないように、配列方向に沿って千鳥足状に配列されている。但し、千鳥足状ではなく配列方向に沿った複数列として配列されてもよい。従って、複数の外部回路接続端子１０２が、相互に重なったり、相互にショートしたり、僅かな欠陥や製造誤差により相互にショートしたりすることを、殆どなくすことが可能となる。言い換えれば、限られた幅を有するＴＦＴアレイ基板１０上における周辺領域内に、より多くの外部回路接続端子１０２を、相互にショートしないように配置することが可能となる。
【００４７】
加えて、本実施形態では、周辺領域の一辺（図３中、下辺）に沿った形で、該一辺の中央付近に多数の外部回路接続端子１０２を配置することで、該一辺の端付近に、検査用回路又はパターン１０９が、余裕を持って配置されている。この際、画像表示領域１０ａを広く確保しつつ、該一辺の幅を不必要に広げる必要もなくなり、電気光学装置の全体の小型化を図ることも可能となる。
【００４８】
以上の結果、本実施形態に係る電気光学装置によれば、外部回路接続端子１０２個々の面積を確保しつつ外部回路接続端子１０２が配列された辺の長さを縮めることが可能となり、基板サイズの縮小が可能となる。
【００４９】
次に、本実施形態に係る電気光学装置が備えるフレキシブルコネクタについて、図５及び図６を参照して説明する。図５は、本実施形態に係る電気光学装置が備えるフレキシブルコネクタの構成を示す平面図であり、図６は、その変形例に係るフレキシブルコネクタの構成を示す平面図である。
【００５０】
図５において、フレキシブルコネクタ１１０は、フレキシブル配線基板１１５上に形成された、複数の外部回路接続端子１０２（図３参照）と接続するための複数の接続部１１２と、この複数の接続部１１２と外部回路とを接続するための複数の外部回路接続配線１１１と、複数の外部回路接続配線１１１を覆うように形成された絶縁膜１１７とから構成されている。そして、複数の接続部１１２は、複数の外部回路接続端子１０２（図３参照）の配置に対応して配置されている。即ち、隣接する複数の接続部１１２は、相互に配列方向と交わる方向（図５中、上下方向）にずれて配置され、配列方向に沿った２列として配列されている。
【００５１】
このように構成されているので、フレキシブルコネクタ１１０は、通常のフレキシブルコネクタとは異なり、複数の外部回路接続端子１０２（図３参照）の配置に対応して配置された複数の接続部１１２を持つ。従って、本実施形態に係る電気光学装置における特殊配列された複数の接続部１１２と外部回路との電気的な接続を、フレキシブルコネクタ１１０を介して良好にとることができる。
【００５２】
尚、絶縁膜１１７の複数の接続部１１２がある側の端部は、図５に示すように、複数の接続部１１２の配列方向（図３中、左右方向）に沿って真っ直ぐに形成されている必要はない。
【００５３】
例えば図６にその変形例として示すように、絶縁膜１１７の複数の接続部１１２がある側の端部を平面的に見て複数の接続部１１２に沿った形状とし、外部回路接続配線１１１を更に覆うようにしてもよい。このようにすれば、相隣接する複数の接続部１１２と複数の外部回路接続配線１１１との電気的ショートを防止することができる。
＜第２実施形態＞
第２実施形態に係る電気光学装置について、図７から図１２を参照して説明する。第２実施形態は、外部回路接続端子１０２の平面レイアウト或いは平面パターンについての各種具体例に係る。
【００５４】
先ず、第２実施形態における一具体例について図７を参照して説明する。ここに図７は、第２実施形態の一具体例についての、第１実施形態における図４と同趣旨の拡大図である。尚、図７において、図１から図６に示した第１実施形態に係る構成要素と同様の構成要素に同一の参照符合を付し、それらの説明は適宜省略する。
【００５５】
図７において、第２実施形態の一具体例に係る電気光学装置では、複数の外部回路接続端子１０２は夫々、複数の外部回路接続端子１０２の配列方向の幅ΔＷが複数の外部回路接続端子の配列ピッチΔＰよりも広い部分を含むと共に、ＴＦＴアレイ基板１０上で平面的に見て相互に重ならない、形状を有する。より具体的には、複数の外部回路接続端子１０２は夫々三角形の形状を有し、隣接する外部回路接続端子１０２は相互に重なり合わないように若干の隙間を隔てて交互に上下逆転して配列されている。つまり、相隣接する二つの外部回路接続端子１０２は、平面的に見て相互間の隙間を実質的に一定幅とする形状或いは一定幅に近付ける形状、言い換えれば、相補的な形状を有する。
【００５６】
その他の構成については、上述した第１実施形態と同様の構成されている。
【００５７】
以上のように、第２実施形態に係る電気光学装置の一具体例によれば、外部回路接続端子１０２個々の面積を確保しつつ外部回路接続端子１０２が配列された辺の長さを縮めることが可能となり、ＴＦＴアレイ基板１０のサイズの縮小が可能となる。この際、相互間の隙間を実質的に一定幅とする形状或いは一定幅に近付ける形状、言い換えれば、相補的な形状を有する外部回路接続端子１０２が、相互に重なったり、相互にショートしたり、僅かな欠陥や製造誤差により相互にショートしたりすることを、殆どなくすことが可能となる。
【００５８】
本実施形態に係る複数の外部回路接続端子１０２の形状は、上述のように形成される一具体例以外に、図８から図１１に他の各種具体例として示した如きであってもよい。ここに、図８から図１１は夫々、第２実施形態の他の各種具体例についての、第１実施形態における図４と同趣旨の拡大図である。
【００５９】
即ち図８に他の具体例として示すように、複数の外部回路接続端子１０２は、若干の隙間を隔てて噛み合うような形状に、形成されていてもよい。また、例えば、平面的に見て、隣接する外部回路接続端子１０２間で、若干の隙間を隔てての入れ子状又は合符状に、或いは若干の隙間を隔てて係合又は噛み合うような形状に、形成されていてもよい。
【００６０】
図９に他の具体例として示すように、複数の外部回路接続端子１０２は、それらの配列方向に沿って、それらの重心或いは中心が一直線に配列されている必要は無く、第１実施形態と同様に、配列方向に交差する方向にずれて配置されていてもよい。より具体的には、千鳥足状の形式で配列方向に交差する方向にずれて配置されていてもよい。
【００６１】
図１０に他の具体例として示すように、円状の形式で配列方向に交差する方向にずれて配置されていてもよい。
【００６２】
或いは、図１１に示すように八角形状の形式で、配列方向に交差する方向にずれて配置されていてもよい。
【００６３】
このように構成された第２実施形態によれば、より効率的に外部回路接続端子１０２個々の面積を確保しつつ外部回路接続端子１０２が配列された辺の長さを縮めることが可能となる。
【００６４】
次に、図１２を参照して、第２実施形態に係る電気光学装置が備えるフレキシブルコネクタ１１０について説明する。ここに図１２は、図５及び図６と同趣旨の本実施形態に係るフレキシブルコネクタの構成を示す平面図である。
【００６５】
即ち図１２に示すように、第２実施形態に係る電気光学装置が備えるフレキシブルコネクタ１１０は、第１実施形態に係る電気光学装置が備えるフレキシブルコネクタ（図５参照）と同様、複数の外部回路接続端子１０２の形状に対応する形状を有する複数の接続部１１２を持つ。従って、第１実施形態と同様に、特殊配列された複数の接続部１１２と外部回路との電気的な接続を、フレキシブルコネクタ１１０を介して良好にとることが可能となる。
＜変形例＞
第１又は第２実施形態に係る電気光学装置の変形例について、図１３を参照して説明する。ここに図１３は、本変形例における、図３におけるＳ−Ｓ’断面図及びＴ−Ｔ’断面図である。尚、図１３において、図１から図１２に示した第１及び第２実施形態に係る構成要素と同様の構成要素に同一の参照符合を付し、それらの説明は適宜省略する。
【００６６】
図１３に示すように、本変形例に係る電気光学装置において、複数の外部回路接続端子１０２（図３参照）のうち外部回路接続端子１０２ａ及び１０２ｂは相隣接している。外部回路接続端子１０２ａは、複数の引出配線１４０（図３参照）のうち第１導電膜から形成された第１引出配線１４０ａに接続されており、外部回路接続端子１０２ｂは、層間絶縁膜４３を介して第１導電膜と別層に位置する第２導電膜から形成された第２引出配線１４０ｂに接続されている。
【００６７】
より具体的には図１３から分かるように、ＴＦＴアレイ基板１０上には、順に、下地絶縁膜１２、第１層間絶縁膜４１、第２層間絶縁膜４２、第３層間絶縁膜４３、第４層間絶縁膜４４が、この順に積層されている。第２層間絶縁膜４２上に積層された第２の導電膜から、第２引出配線１４０ｂが形成されている。第３層間絶縁膜４３上に積層された第１の導電膜から、第１引出配線１４０ａ及び外部回路接続端子１０２が夫々形成されている。層間絶縁膜４３の表面は、例えばＣＭＰ（Chemical Mechanical Polishing：化学的機会研磨）等の平坦化処理が施されている。但し、このような平坦化処理が施されていなくても構わない。
【００６８】
このようにＴＦＴアレイ基板１０上に、このように複数の層間絶縁膜及び導電膜が積層されているので、これらを利用して、更にこれらの層間に積層される他の導電膜や半導体膜等を利用して、ＴＦＴ等の各種回路を、ＴＦＴアレイ基板１０上における画像表示領域内に作り込むことが可能となり、これと同一又は別機会に、引出配線１４０及び外部回路接続端子１０２を作り込むことが可能となる。
【００６９】
本変形例に係る電気光学装置は、外部回路接続端子１０２ａ及び１０２ｂと夫々接続される第１引出配線１４０ａ及び第２引出配線１４０は、本発明に係る「層間絶縁膜」の一例としての第３層間絶縁膜４３を介して別層に位置する第１及び第２導電膜から夫々形成されている。よって、第１引出配線１４０ａと第２引出配線１４０ｂとが、平面的に見て接近して配線されても、配線間ショートが生じる事態を効果的に防止することが可能となる。また、平面的に見て第１引出配線１４０ａ及び第２引出配線１４０ｂが重なる程度に、両者の配線幅を広くとることも可能となる。
【００７０】
特に本変形例では、外部回路接続端子１０２ｂは、第２引出配線１４０ｂに第３層間絶縁膜４３に開孔されたコンタクトホール２０ｂを介して電気的に接続されており、相隣接する二つの外部回路接続端子１０２ａ及び１０２ｂは共に、第１導電膜と同一の導電膜から形成されている。尚、相隣接する二つの外部回路接続端子１０２ａ及び１０２ｂは共に、第１導電膜と同一の導電膜から形成されてもよい。
【００７１】
よって、外部回路接続端子１０２については、同一導電膜から形成することで、フレキシブルコネクタ等の接続部が接続される表面の高さを揃えつつ、第１引出配線１４０ａ及び第２引出配線１４０ｂについては、二つの導電膜から形成することで、配線間ショートが生じる事態を防止することが可能となる。
＜電子機器＞
次に、上述した電気光学装置である液晶装置を各種の電子機器に適用する場合について説明する。
【００７２】
まず、この液晶装置をライトバルブとして用いたプロジェクタについて説明する。図１４は、プロジェクタの構成例を示す平面図である。この図１４に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７３】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７４】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００７５】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００７６】
次に、液晶装置を、モバイル型のパーソナルコンピュータに適用した例について説明する。図１５は、このパーソナルコンピュータの構成を示す斜視図である。図１５において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００７７】
さらに、液晶装置を、携帯電話に適用した例について説明する。図１６は、この携帯電話の構成を示す斜視図である。図１６において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００７８】
尚、図１４から図１６を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００７９】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００８０】
【図１】本発明の第１実施形態に係る、電気光学装置の全体構成を示す平面図である。
【図２】図１のＨ−Ｈ’の断面図である。
【図３】第１実施形態に係る電気光学装置の外部回路接続端子の配列を説明する平面図である。
【図４】第１実施形態に係る電気光学装置の外部回路接続端子の配列の一部を示す拡大図
【図５】第１実施形態に係る電気光学装置が備えるフレキシブルコネクタの構成を示す平面図である。
【図６】第１実施形態に係る電気光学装置が備えるフレキシブルコネクタの構成の他の例を示す平面図である。
【図７】第２実施形態の一具体例に係る、第１実施形態における図４と同趣旨の拡大平面図である。
【図８】第２実施形態の他の具体例に係る、第１実施形態における図４と同趣旨の拡大平面図である。
【図９】第２実施形態の更に他の具体例に係る、第１実施形態における図４と同趣旨の拡大平面図である。
【図１０】第２実施形態の更に他の具体例に係る、第１実施形態における図４と同趣旨の拡大平面図である。
【図１１】第２実施形態の更に他の具体例に係る、第１実施形態における図４と同趣旨の拡大平面図である。
【図１２】第２実施形態における図５と同趣旨の平面図である。
【図１３】第１又は第２実施形態の変形例に係る、図３におけるＳ−Ｓ’断面図及びＴ−Ｔ’断面図である。
【図１４】電気光学装置を適用した電子機器の一例たるプロジェクタの構成を示す平面図である。
【図１５】電気光学装置を適用した電子機器の一例たるパーソナルコンピュータの構成を示す斜視図である。
【図１６】電気光学装置を適用した電子機器の一例たる携帯電話の構成を示す斜視図である。
【符号の説明】
【００８１】
１０…ＴＦＴアレイ基板、３ａ…走査線、６ａ…データ線、９ａ…画素電極、１０ａ…画像表示領域、２０…対向基板、２１…対向電極、４１、４２、４３、４４…層間絶縁層、５０…液晶層、５２…シール材、５３…額縁遮光膜、１０１…データ線駆動回路、１０２、１０２ａ、１０２ｂ…外部回路接続端子、１０４…走査線駆動回路、１０６…上下導通端子、１１０…フレキシブルコネクタ、１１１…外部回路接続配線、１１２…接続部、１１５…フレキシブル配線基板、１１７…絶縁膜、１２０…走査線駆動用配線、１３０…データ線駆動用配線、１４０、１４０ａ、１４０ｂ…引出配線、３０１…サンプリング回路
【図１】
2006178113.tif 000003
【図２】
2006178113.tif 000004
【図３】
2006178113.tif 000005
【図４】
2006178113.tif 000006
【図５】
2006178113.tif 000007
【図６】
2006178113.tif 000008
【図７】
2006178113.tif 000009
【図８】
2006178113.tif 000010
【図９】
2006178113.tif 000011
【図１０】
2006178113.tif 000012
【図１１】
2006178113.tif 000013
【図１２】
2006178113.tif 000014
【図１３】
2006178113.tif 000015
【図１４】
2006178113.tif 000016
【図１５】
2006178113.tif 000017
【図１６】
2006178113.tif 000018